(57)【要約】本発明は、ダンパ(１)、特に家具又は家庭用器具用の取付具用ダンパに関し、ピストンロッド(５)に接続されたピストン(１０)が内部空間(２０)内で線形に変位可能に案内されるハウジング(２)を備え、ピストン(１０)が変位されるときに流れが通過する少なくとも１つの流れチャネル(１６)がピストン(１０)上又はピストン(１０)内に形成され、  ピストンロッド(５)の一部がハウジング(２)内に押し込まれるか又はハウジング(２)から引き出されるときに、変位又は解放される体積を補償する体積補償要素(１４)がハウジング(２)内に設けられ、該体積補償要素(１４)がハウジング(２)内に変位可能に取り付けられ、  体積補償要素(１４)はカバー(１３)上に保持されて、該カバー(１３)がハウジング(２)の一端部でハウジング(２)を閉じ、ピストンロッド(５)のための貫通開口を形成する。【選択図】図１Ｂ
2021529289.tif 000002
【特許請求の範囲】
【請求項１】
ダンパ(１)、特に家具又は家庭用器具用の取付具用ダンパであって、
ピストンロッド(５)に接続されたピストン(１０)が内部空間(２０)内で線形に変位可能に案内されるハウジング(２)を備え、ピストン(１０)が変位されるときに流れが通過する少なくとも１つの流れチャネル(１６)がピストン(１０)上又はピストン(１０)内に形成され、
ピストンロッド(５)の一部がハウジング(２)内に押し込まれるか又はハウジング(２)から引き出されるときに、変位又は解放される体積を補償する体積補償要素(１４)がハウジング(２)内に設けられ、該体積補償要素(１４)がハウジング(２)内に変位可能に取り付けられるダンパ(１)において、
体積補償要素(１４)はカバー(１３)上に保持されて、該カバー(１３)がハウジング(２)の一端部でハウジング(２)を閉じ、ピストンロッド(５)のための貫通開口を形成することを特徴とする、ダンパ。
【請求項２】
前記体積補償要素(１４)は、カバー(１３)と一体的に形成された、請求項１に記載のダンパ。
【請求項３】
前記体積補償要素(１４)は、前記ハウジング(２)の内壁に当接する環状シール要素(１９)を有する、請求項１又は２に記載のダンパ。
【請求項４】
前記体積補償要素(１４)は、少なくとも1つの折り曲げ可能なウェブ(１５)を介して前記カバー(１３)に接続されている、請求項１乃至３の何れかに記載のダンパ。
【請求項５】
前記少なくとも１つの曲げ可能なウェブ(１５)は、前記ハウジング(２)の長手方向に螺旋状に整列されている、請求項４に記載のダンパ。
【請求項６】
前記体積補償要素(１４)を前記カバー(１３)に接続する２つのウェブ(１５)が設けられている、請求項４又は５に記載のダンパ。
【請求項７】
前記カバー(１３)は、前記ピストンロッド(５)を案内するためのスリーブ(１２)を有する、請求項１乃至６の何れかに記載のダンパ。
【請求項８】
前記スリーブ(１２)は、前記ハウジング(２)及び前記カバー(１３)から前記ハウジング(２)の長手方向に外側に突出している、請求項７に記載のダンパ。
【請求項９】
前記体積補償要素(１４)と、前記カバー(１３)と、前記カバー(１３)を前記体積補償要素(１４)に接続する少なくとも１つのウェブ(１５)とが、プラスチックから射出成形部品として製造される、請求項１乃至８の何れかに記載のダンパ。
【請求項１０】
請求項１乃至９の何れかに記載のダンパを有する取付具、特に引出しガイド用のヒンジ又は自己閉鎖形デバイス。
【発明の詳細な説明】
【技術分野】
【０００１】
本発明は、ダンパ、特に家具又は家庭用器具用の取付具用ダンパに関し、ピストンロッドに接続されたピストンが内部空間内で線形に変位可能に案内されるハウジングを備え、ピストンが変位されるときに流れが通過する少なくとも１つの流れチャネルがピストン上又はピストン内に形成され、ピストンロッドの一部がハウジング内に押し込まれるか、又はハウジングから引き出されるときに、変位又は解放される体積を補償する体積補償要素がハウジング内に設けられ、該体積補償要素がハウジング内に変位可能に取り付けられる。
【背景技術】
【０００２】
ヨーロッパ特許2 006 480 B1は、ピストンロッドに連結されたピストンが、円筒形のハウジング内に変位可能に配置されたダンパを明らかにする。減衰力は、ピストンがハウジング内で変位し、流体がピストン上の流れチャネルを流れるとき、流れ抵抗によって発生する。ピストンロッドがハウジング内に押し込まれると、流体の体積が変位されるので、変位可能な体積補償要素が補償のために設けられ、この体積補償要素は、保持リングに取り付けられた環状シールを有し、この保持リングは、ばねによってハウジング内に予張力をかけられている。このダンパの構成は、個々の構成要素の組立及び製造が複雑であるため、特に体積補償要素の領域において不利である。
従って、本発明の目的は、構成が簡単で、組立てが容易なダンパを生成することにある。
【発明の概要】
【課題を解決するための手段】
【０００３】
この目的は、請求項１の特徴を有するダンパによって解決される。有利な構成は従属請求項に開示されている。
本発明によるダンパでは、ピストンロッドの一部をハウジング内に押し込んだり、ハウジングから引き出したりすることによってハウジング内に変位可能に取り付けられる体積補償要素が設けられ、体積補償要素はダンパのカバー上に保持され、該カバーはハウジングの一端部でハウジングを閉じ、ピストンロッドのための貫通開口を形成する。
これにより、例えば、カバーをハウジング内に押し込むことによって、体積補償要素はカバーと一緒に取り付けられる。
【０００４】
前記体積補償要素は、前記カバーと一体的に形成されることが好ましい。
一体型の構成は、構成部品の数の減少につながり、少なくとも１つのウェブを、体積補償要素とカバーとの間に配置することができ、これにより、体積補償要素をハウジングの軸方向に移動させることができ、一方、カバーは、ハウジングに堅固に固定されたままである。そのようなウェブは、例えば、曲げ又はねじり運動によって体積補償要素を変位可能に取り付けるために、螺旋形状に構成することができる。体積補償要素は、特にカバーが螺旋状に配置されている場合には、スライド運動中に付随的にに回転させることもできる。
【０００５】
ハウジングの内側及び/又はピストンロッド上に載置される環状のシール要素が、体積補償要素上に設けられるのが好ましい。環状のシール要素は、別個の構成要素として体積補償要素に固定することができるか、又は体積補償要素と一体に構成することもできる。
体積補償要素は、例えば、射出成形部品として構成することができるので、適当な薄肉の可撓性プラスチックを使用することによって弾性シール要素を製造することができる。
【０００６】
ピストンロッドを案内するために、スリーブがカバー上に付与されて、ピストンロッドを囲むことができる。この場合、スリーブは、好ましくはハウジングから離れて大凡ディスク形状のカバーから軸方向に突出することができる。付随的に、スリーブは、特に、ダンパが閉鎖空間で使用される場合には、ハウジング内に内側に突出することもできる。
【図面の簡単な説明】
【０００７】
本発明は、添付の図面を参照して、例示的な実施形態によって、以下により詳細に説明される。
【図１Ａ】本発明によるダンパの図であり、ピストンが延びている。
【図１Ｂ】本発明によるダンパの図であり、ピストンが延びている。
【図２Ａ】図１のダンパの図であり、ピストンが引き込まれている。
【図２Ｂ】図１のダンパの図であり、ピストンが引き込まれている。
【図３Ａ】図１のダンパの分解斜視図である。
【発明を実施するための形態】
【０００８】
ダンパ１は、ハウジング２と、ハウジング２から突出するピストンロッド５とを備えている。ハウジング２は、内部空間２０内に、ピストン１０が変位可能に案内される円筒部４を有する。ハウジング２の異なる領域における減衰力を変化させるために、円筒部４上に拡径部１１又はテーパ部を任意に設けることができる。図示の例示的な実施形態では、拡径部１１がベース３に隣接して設けられており、ピストン１０は、拡径部１１に対して反対側の円筒部４よりもベース３に隣接する領域でより滑らかに移動することができる。このような拡径部１１を省略し、同じ内径を有する円筒部４を大凡連続的に形成することも可能である。
【０００９】
ピストン１０はピストンロッド５上に保持され、該ピストンロッド５はハウジング２の外側の一端部６でアクチュエータ部に連結されている。一端部６はボールヘッドとして構成されており、他の機械的接続手段を有することもできる。反対側の端部７は、ハウジング２内に配置され、容器８内にてベース３の端部位置に挿入され得る。更にベース３上には、ハウジング２から外側に突出するスリーブ９が形成され、ハウジング２を構成部品、例えば家具又は家庭用器具用の取付けに使用される。
【００１０】
ハウジング２は、環状のカバー１３によってベース３とは反対側で閉じられており、このカバーは、ハウジング２上に静止して保持されており、付随的に接着又は溶接され得る。カバー１３には、ピストンロッド５のための貫通開口が形成され、ここで、スリーブ１２が、本質的にディスク形状のカバー１３から外側に突出して、ピストンロッド５をガイドする。
【００１１】
更に体積補償要素１４がカバー１３上に保持され、ハウジング２内で変位可能である。
図１Ｂ及び図２Ｂに示すように、ピストンロッド５をハウジング２内に押し込むことによって、流体はピストン１０を通って流れて減衰力を発生することができ、ピストンロッド５を押し込むことによって流体容積が部分的に変位し、これは体積補償要素１４を動かすことによって補償される。この場合、体積補償要素１４は支柱又はウェブ１５によってカバー１３上に保持され、ウェブ１５は曲げ可能である。更にシール１９が、体積補償要素１４上に配置されるか、又は一体的に形成され、該シール１９は、体積補償要素１４とハウジング２の内壁との間にシールを提供する。付随的に、シール１９は、ピストンロッド５に対してシールを提供することもできる。
【００１２】
図３に、本発明によるダンパ１の分解図を示す。ピストン１０は、軸方向に動かない位置でピストンロッド５上に保持され、ピストンロッド５は、この目的のために階段状に形成され得る。付随的に、ピストンは、ピストンロッドと一体に構成することもできる。１つ又は複数の流れチャネル１６がピストン１０上に形成されており、この流れチャネル１６は、環状の絞り要素１７によって端部側で閉じられる。絞り要素１７は、ピストンロッド５のための貫通開口１８を有する弾性リングによって形成することができる。これにより、ピストンロッド５が引き出されたときに、絞り要素１７が流れチャネル１６から持ち上げて外れ、ピストンロッド５をスムーズに引き出すことができる。しかし、反対方向では、ピストンロッド５を押し込むとき、絞り要素１７は流れチャネル１６に押し付けられ、従って減衰力を発生させる流動抵抗を提供する。
【００１３】
体積補償要素１４は、螺旋状に配置されたウェブ１５を介してカバー１３に接続されている。２つのウェブ１５の代わりに、１つのみのウェブ又は３つ以上のウェブ１５を設けることも可能である。
体積補償要素１４は、任意的に例えば射出成形部品として、ウェブ１５及びカバー１３と一体的に構成することができる。シール１９はまた、一体的に形成されたシールリップによって製造することができ、シールは、任意的に別個の構成要素として形成することもできる。
【符号の説明】
【００１４】
１    ダンパ
２    ハウジング
３    ベース
４    円筒部
５    ピストンロッド
６    端部
７    端部
８    容器
９    スリーブ
１０  ピストン
１１  拡径部
１２  スリーブ
１３  カバー
１４  体積補償要素
１５  ウエブ
１６  流れチャネル
１７  絞り要素
１８  通路開口
１９  シール
２０  内部空間
【図１Ａ】
2021529289.tif 000003
【図１Ｂ】
2021529289.tif 000004
【図２Ａ】
2021529289.tif 000005
【図２Ｂ】
2021529289.tif 000006
【図３】
2021529289.tif 000007
【国際調査報告】
2021529289.tif 000008
2021529289.tif 000009
2021529289.tif 000010
2021529289.tif 000011
2021529289.tif 000012
2021529289.tif 000013